(57)【特許請求の範囲】
【請求項１】
駆動力源と車輪とを結ぶ動力伝達経路に、複数の係合装置を備えると共に当該複数の係合装置の係合の状態に応じて変速比の異なる複数の変速段が選択的に形成される変速装置が設けられた車両用駆動伝達装置を制御対象とする制御装置であって、
変速比の異なる変速段に切り替える変速を行うために係合する前記係合装置である係合側係合装置の係合圧を制御する係合側制御部と、
前記変速のために解放する前記係合装置である解放側係合装置の係合圧を制御する解放側制御部と、
前記変速中に、前記駆動力源の側から前記変速装置の入力軸に伝達される入力トルクを変更させる入力トルク変更部と、を有し、
前記変速中に、前記係合側制御部および前記解放側制御部が前記係合側係合装置および前記解放側係合装置の係合圧を制御することで、前記解放側係合装置の係合部材間の回転速度差を増加させ前記係合側係合装置の係合部材間の回転速度差を減少させる回転変化を行うイナーシャ相制御の実行前における、前記係合側係合装置と前記解放側係合装置のトルク伝達の分担を変化させるトルク相制御中に、前記係合側制御部は、前記係合側係合装置の係合圧を変化させる指令値を、変化開始時の変化率が一定の基準変化率よりも大きい変化率となるように変化させる特定係合圧制御を行い、
前記変速中に、前記入力トルクを前記変速の終了後の前記入力トルクまで変化させる期間を入力トルク変化期間として、
前記基準変化率は、前記係合側係合装置と前記解放側係合装置のトルク伝達の分担を変化させた後の前記係合側係合装置の係合圧と当該トルク伝達の分担を変化させる前の前記係合側係合装置の係合圧との偏差を、前記入力トルク変化期間よりも短い期間に設定された係合圧変化期間で除算した値となるように設定された変化率であり、
前記特定係合圧制御では、前記係合側制御部は、前記指令値を、変化開始時から時間経過に従って変化率が次第に小さくなるように変化させる車両用駆動伝達装置の制御装置。
【請求項２】
前記特定係合圧制御では、前記係合側制御部は、前記指令値を、弧状の変化線に沿って変化させる請求項１に記載の車両用駆動伝達装置の制御装置。
【請求項３】
前記車輪に伝達することが要求されるトルクである車輪要求トルクが一定又は増加している状態で、より変速比の低い変速段に切り替える前記変速であるパワーオンアップシフトを行う場合に、前記入力トルク変更部は、前記入力トルクを増加させる方向に変更させ、前記係合側制御部は、前記特定係合圧制御を行う請求項１又は２に記載の車両用駆動伝達装置の制御装置。
【請求項４】
前記トルク伝達の分担の変化中における、前記車輪に伝達することが要求されるトルクである車輪要求トルクに対する、前記車輪に伝達されるトルクである出力トルクの落ち込みが、設定量以下である請求項１から３のいずれか一項に記載の車両用駆動伝達装置の制御装置。
【請求項５】
前記係合側制御部は、前記特定係合圧制御において、前記変速の終了後の前記入力トルクに相当するトルクを前記車輪側に伝達できる係合圧まで前記係合側係合装置の係合圧を変化させる請求項１から４のいずれか一項に記載の車両用駆動伝達装置の制御装置。
【請求項６】
前記係合側制御部は、前記特定係合圧制御において前記係合側係合装置の係合圧を変化させる指令値を、前記入力トルク変更部による前記入力トルクの変更よりも位相を進めて変化させる請求項１から５のいずれか一項に記載の車両用駆動伝達装置の制御装置。
【請求項７】
前記入力トルク変更部は、前記トルク伝達の分担が変化している間に、前記駆動力源の側から前記変速装置に伝達される前記入力トルクを変更し、
前記係合側制御部は、前記特定係合圧制御において、前記入力トルクの変更と位相を合わせて前記係合側係合装置の実際の係合圧が変化するように、前記係合側係合装置の係合圧を変化させる指令値を、前記入力トルクの変化よりも位相を進めて変化させる請求項１から６のいずれか一項に記載の車両用駆動伝達装置の制御装置。
【請求項８】
前記入力トルク変更部は、前記入力軸の回転速度の変化中に、前記入力トルクを前記変速の終了後の前記入力トルクに相当するトルクまで変化させる請求項１から７のいずれか一項に記載の車両用駆動伝達装置の制御装置。
【請求項９】
前記変速中に、少なくとも前記入力トルクを変化させて、前記入力軸の回転速度を変化させる請求項１から８のいずれか一項に記載の車両用駆動伝達装置の制御装置。
【請求項１０】
前記駆動力源は内燃機関と回転電機とを含み、前記動力伝達経路に沿って、前記内燃機関の側から、前記回転電機、前記変速装置、前記車輪の順に設けられており、
前記係合側制御部は、前記回転電機のみを前記駆動力源として動作させている場合に、前記特定係合圧制御を行う請求項１から９のいずれか一項に記載の車両用駆動伝達装置の制御装置。
【発明の詳細な説明】
【技術分野】
【０００１】
本発明は、駆動力源と車輪とを結ぶ動力伝達経路に、複数の係合装置を備えると共に当該複数の係合装置の係合の状態に応じて変速比の異なる複数の変速段が選択的に形成される変速装置が設けられた車両用駆動伝達装置を制御対象とする制御装置に関する。
【背景技術】
【０００２】
上記のような制御装置に関して、例えば下記の特許文献１に記載された技術が既に知られている。特許文献１に記載されている技術では、変速装置の変速段を、変速比の異なる変速段に切り替える変速制御において、特許文献１の図８及び図９などに示されているように、変速装置の入力側の回転速度を変化させるイナーシャ相制御中に、駆動力源の出力トルクを低下させるトルクダウン制御を行うように構成されている。
【先行技術文献】
【特許文献】
【０００３】
【特許文献１】特開平９−３３１６０２号公報
【発明の概要】
【発明が解決しようとする課題】
【０００４】
変速制御による出力トルクの変動を抑制するためには、駆動力源の出力トルクの制御だけでなく、変速のために係合する係合側係合装置の係合圧の制御についても考慮する必要がある。しかしながら、引用文献１の技術では、出力トルクの変動を抑制するための係合側係合装置の係合圧の制御については特に考慮されていない。【０００５】
そこで、係合側係合装置の係合圧、及び駆動力源から変速装置に伝達される入力トルクを適切に制御して、変速の際の出力トルクの変動を抑制することができる制御装置が求められる。
【課題を解決するための手段】
【０００６】
上記に鑑みた、駆動力源と車輪とを結ぶ動力伝達経路に、複数の係合装置を備えると共に当該複数の係合装置の係合の状態に応じて変速比の異なる複数の変速段が選択的に形成される変速装置が設けられた車両用駆動伝達装置を制御対象とする制御装置であって、変速比の異なる変速段に切り替える変速を行うために係合する前記係合装置である係合側係合装置の係合圧を制御する係合側制御部と、前記変速のために解放する前記係合装置である解放側係合装置の係合圧を制御する解放側制御部と、前記変速中に、前記駆動力源の側から前記変速装置の入力軸に伝達される入力トルクを変更させる入力トルク変更部と、を有し、前記変速中に、前記係合側制御部および前記解放側制御部が前記係合側係合装置および前記解放側係合装置の係合圧を制御することで、前記解放側係合装置の係合部材間の回転速度差を増加させ前記係合側係合装置の係合部材間の回転速度差を減少させる回転変化を行うイナーシャ相制御の実行前における、前記係合側係合装置と前記解放側係合装置のトルク伝達の分担を変化させるトルク相制御中に、前記係合側制御部は、前記係合側係合装置の係合圧を変化させる指令値を、変化開始時の変化率が一定の基準変化率よりも大きい変化率となるように変化させる特定係合圧制御を行い、前記変速中に、前記入力トルクを前記変速の終了後の前記入力トルクまで変化させる期間を入力トルク変化期間として、前記基準変化率は、前記係合側係合装置と前記解放側係合装置のトルク伝達の分担を変化させた後の前記係合側係合装置の係合圧と当該トルク伝達の分担を変化させる前の前記係合側係合装置の係合圧との偏差を、前記入力トルク変化期間よりも短い期間に設定された係合圧変化期間で除算した値となるように設定された変化率であり、前記特定係合圧制御では、前記係合側制御部は、前記指令値を、変化開始時から時間経過に従って変化率が次第に小さくなるように変化させる点にある。
【０００７】
この特徴構成によれば、入力トルク変更部により、変速中に、入力トルクを変更させるので、変速の開始前から終了後までにおける、変速装置から車輪側に伝達される出力トルクの変化を制御することが可能になる。また、係合側制御部および解放側制御部により、係合側係合装置および解放側係合装置の係合圧が制御されることで、係合側係合装置と解放側係合装置のトルク伝達の分担が変化されると、滑り係合状態の係合側係合装置の係合圧に応じた出力トルクが車輪側に伝達されるようになる。そして、トルク伝達の分担を変化させる際に、係合側制御部は、係合側係合装置の係合圧を、一定の変化率又は変化開始時の変化率が前記一定の変化率よりも大きい変化率で変化させる特定係合圧制御を行う。このような特定係合圧制御は、入力トルク変更部により変更される入力トルクの変速終了後の値（以下、変速後入力トルクと称す）に基づいて係合側係合装置の係合圧を変化させることで可能になる。そして、このような特定係合圧制御を行うことにより、変速中の出力トルクの変動を抑制することができる。
【図面の簡単な説明】
【０００８】
【図１】実施形態に係る車両用駆動伝達装置及び制御装置の概略構成を示す模式図である。
【図２】第１の実施形態に係る制御装置の概略構成を示すブロック図である。
【図３】第１の実施形態に係る車両用駆動伝達装置のスケルトン図である。
【図４】第１の実施形態に係る変速装置の作動表である。
【図５】第１の実施形態の比較例に係るタイムチャートである。
【図６】第１の実施形態に係るタイムチャートである。
【図７】第１の実施形態に係るフローチャートである。
【図８】第２の実施形態の比較例に係るタイムチャートである。
【図９】第２の実施形態に係るタイムチャートである。
【図１０】第２の実施形態に係るフローチャートである。
【発明を実施するための形態】
【０００９】
１．第１の実施形態
本実施形態に係る車両用駆動伝達装置１の制御装置３０（以下、単に制御装置３０と称す）について図面を参照して説明する。図１は、本実施形態に係る車両用駆動伝達装置１及び制御装置３０の概略構成を示す模式図である。この図において、実線は駆動力の伝達経路を示し、破線は作動油の供給経路を示し、一点鎖線は信号の伝達経路を示している。車両用駆動伝達装置１には、駆動力源３と車輪Ｗとを結ぶ動力伝達経路２に、変速装置ＴＭが備えられている。変速装置ＴＭは、複数の係合装置Ｃ１、Ｂ１、・・を備えると共に、当該複数の係合装置Ｃ１、Ｂ１、・・の係合の状態に応じて変速比の異なる複数の変速段が選択的に形成される。
【００１０】
本実施形態では、駆動力源３として内燃機関ＥＮＧと回転電機ＭＧとが備えられている。そして、内燃機関ＥＮＧと車輪Ｗとを結ぶ動力伝達経路２に、内燃機関ＥＮＧの側から、回転電機ＭＧ、変速装置ＴＭ、車輪Ｗの順に設けられている。ここでは、変速装置ＴＭの入力軸Ｉに回転電機ＭＧが駆動連結され、入力軸Ｉに第一係合装置ＳＳＣを介して内燃機関ＥＮＧが駆動連結されている。このように、本実施形態では、内燃機関ＥＮＧと車輪Ｗとを結ぶ動力伝達経路２に、内燃機関ＥＮＧの側から順に、第一係合装置ＳＳＣ、回転電機ＭＧ、及び変速装置ＴＭが設けられている。
【００１１】
なお、本願において、「駆動連結」とは、２つの回転要素が駆動力を伝達可能に連結された状態を指し、当該２つの回転要素が一体的に回転するように連結された状態、或いは当該２つの回転要素が一又は二以上の伝動部材を介して駆動力を伝達可能に連結された状態を含む概念として用いている。このような伝動部材としては、回転を同速で又は変速して伝達する各種の部材が含まれ、例えば、軸、歯車機構、ベルト、チェーン等が含まれる。また、このような伝動部材として、回転及び駆動力を選択的に伝達する係合装置、例えば摩擦係合装置や噛み合い式係合装置等が含まれていてもよい。
【００１２】
ハイブリッド車両には、車両用駆動伝達装置１を制御対象とする制御装置３０が備えられている。本実施形態に係わる制御装置３０は、回転電機ＭＧの制御を行う回転電機制御ユニット３２と、変速装置ＴＭ及び第一係合装置ＳＳＣの制御を行う動力伝達制御ユニット３３と、これらの制御装置を統合して車両用駆動伝達装置１の制御を行う車両制御ユニット３４と、を有している。また、ハイブリッド車両には、内燃機関ＥＮＧの制御を行う内燃機関制御装置３１も備えられている。
【００１３】
制御装置３０は、図２に示すように、変速制御部４３などの機能部を備えている。変速制御部４３は、係合側制御部４６、解放側制御部４７、及び入力トルク変更部４８を有している。係合側制御部４６は、変速比の異なる変速段に切り替える変速を行うために係合する係合装置である係合側係合装置の係合圧を制御する。解放側制御部４７は、変速のために解放する係合装置である解放側係合装置の係合圧を制御する。入力トルク変更部４８は、変速中に、駆動力源３の側から変速装置の入力軸Ｉに伝達される入力トルクを変更させる。そして、変速中に、係合側制御部４６および解放側制御部４７が係合側係合装置および解放側係合装置の係合圧を制御することで、係合側係合装置と解放側係合装置のトルク伝達の分担を変化させる際に、係合側制御部４６は、係合側係合装置の係合圧を、一定の変化率又は当該一定の変化率よりも変化開始時の変化率が大きい変化率で変化させる特定係合圧制御を行う（図６参照）。
以下、本実施形態に係る車両用駆動伝達装置１及び制御装置３０について、詳細に説明する。
【００１４】
１−１．車両用駆動伝達装置１の構成
まず、本実施形態に係るハイブリッド車両の車両用駆動伝達装置１の構成について説明する。図１に示すように、ハイブリッド車両は、車両の駆動力源３として内燃機関ＥＮＧ及び回転電機ＭＧを備え、これらの内燃機関ＥＮＧと回転電機ＭＧとが直列に駆動連結されるパラレル方式のハイブリッド車両となっている。ハイブリッド車両は、変速装置ＴＭを備えており、当該変速装置ＴＭにより、入力軸Ｉに伝達された内燃機関ＥＮＧ及び回転電機ＭＧの回転速度を変速すると共にトルクを変換して出力軸Ｏに伝達する。
【００１５】
内燃機関ＥＮＧは、燃料の燃焼により駆動される熱機関であり、例えば、ガソリンエンジンやディーゼルエンジンなどの公知の各種内燃機関を用いることができる。本例では、内燃機関ＥＮＧのクランクシャフト等の機関出力軸Ｅｏが、第一係合装置ＳＳＣを介して、回転電機ＭＧに駆動連結された入力軸Ｉと選択的に駆動連結される。すなわち、内燃機関ＥＮＧは、摩擦係合装置である第一係合装置ＳＳＣを介して回転電機ＭＧに選択的に駆動連結される。また、機関出力軸Ｅｏには、図示しないダンパが備えられており、内燃機関ＥＮＧの間欠的な燃焼による出力トルク及び回転速度の変動を減衰して、車輪Ｗ側に伝達可能に構成されている。
【００１６】
回転電機ＭＧは、車両用駆動伝達装置１を収容するケースＣＳに固定されたステータＳｔと、このステータと対応する位置で径方向内側に回転自在に支持されたロータＲｏと、を有している（図３参照）。この回転電機ＭＧのロータＲｏは、入力軸Ｉと一体回転するように駆動連結されている。回転電機ＭＧは、直流交流変換を行うインバータを介して蓄電装置としてのバッテリに電気的に接続されている。そして、回転電機ＭＧは、電力の供給を受けて動力を発生するモータ（電動機）としての機能と、動力の供給を受けて電力を発生するジェネレータ（発電機）としての機能と、を果たすことが可能とされている。すなわち、回転電機ＭＧは、インバータを介してバッテリからの電力供給を受けて力行し、或いは内燃機関ＥＮＧや車輪Ｗから伝達される回転駆動力により発電し、発電された電力は、インバータを介してバッテリに蓄電される。
【００１７】
駆動力源３が駆動連結される入力軸Ｉには、変速装置ＴＭが駆動連結されている。本実施形態では、変速装置ＴＭは、変速比（ギヤ比）の異なる複数の変速段を有する有段の自動変速装置である。変速装置ＴＭは、これら複数の変速段を形成するため、遊星歯車機構等の歯車機構と複数の係合装置Ｃ１、Ｂ１・・・とを備えている。変速装置ＴＭは、各変速段の変速比で、入力軸Ｉの回転速度を変速するとともにトルクを変換して、出力軸Ｏへ伝達する。変速装置ＴＭから出力軸Ｏへ伝達されたトルクは、出力用差動歯車装置ＤＦを介して左右二つの車軸ＡＸに分配されて伝達され、各車軸ＡＸに駆動連結された車輪Ｗに伝達される。ここで、変速比（ギヤ比）は、変速装置ＴＭにおいて各変速段が形成された場合の、出力軸Ｏの回転速度に対する入力軸Ｉの回転速度の比であり、本願では入力軸Ｉの回転速度を出力軸Ｏの回転速度で除算した値である。すなわち、入力軸Ｉの回転速度を変速比で除算した回転速度が、出力軸Ｏの回転速度になる。また、入力軸Ｉから変速装置ＴＭに伝達されるトルクに、変速比を乗算したトルクが、変速装置ＴＭから出力軸Ｏに伝達されるトルクになる。
【００１８】
本実施形態では、図４の作動表に示すように、変速装置ＴＭは変速比（減速比）の異なる６つの変速段（第一段１ｓｔ、第二段２ｎｄ、第三段３ｒｄ、第四段４ｔｈ、第五段５ｔｈ、及び第六段６ｔｈ）を前進段として備えている。これらの変速段を構成するため、変速装置ＴＭは、第一遊星歯車機構ＰＧ１及び第二遊星歯車機構ＰＧ２を備えてなる歯車機構と、６つの係合装置Ｃ１、Ｃ２、Ｃ３、Ｂ１、Ｂ２、ＯＷＣと、を備えて構成されている。ワンウェイクラッチＯＷＣを除くこれら複数の係合装置Ｃ１、Ｂ１・・・の係合及び解放を制御して、第一遊星歯車機構ＰＧ１及び第二遊星歯車機構ＰＧ２の各回転要素の回転状態を切り替え、複数の係合装置Ｃ１、Ｂ１・・・を選択的に係合することにより、６つの変速段が切り替えられる。なお、変速装置ＴＭは、上記６つの変速段のほかに、一段の後進段Ｒｅｖも備えている。
【００１９】
図４において、「○」は各係合装置が係合状態にあることを示しており、「無印」は、各係合装置が解放状態にあることを示している。「（○）」は、エンジンブレーキを行う場合などにおいて、係合装置が係合した状態にされることを示している。また、「△」は、一方向に回転する場合には解放した状態となり、他方向に回転する場合には係合した状態となることを示している。
【００２０】
第一段（１ｓｔ）は、第一クラッチＣ１及びワンウェイクラッチＯＷＣが係合されて形成される。エンジンブレーキを行うときなどは、第一段は、第一クラッチＣ１及び第二ブレーキＢ２が係合されて形成される。第二段（２ｎｄ）は、第一クラッチＣ１及び第一ブレーキＢ１が係合されて形成される。第三段（３ｒｄ）は、第一クラッチＣ１及び第三クラッチＣ３が係合されて形成される。第四段（４ｔｈ）は、第一クラッチＣ１及び第二クラッチＣ２が係合されて形成される。第五段（５ｔｈ）は、第二クラッチＣ２及び第三クラッチＣ３が係合されて形成される。第六段（６ｔｈ）は、第二クラッチＣ２及び第一ブレーキＢ１が係合されて形成される。後進段（Ｒｅｖ）は、第三クラッチＣ３及び第二ブレーキＢ２が係合されて形成される。これらの各変速段は、入力軸Ｉ（内燃機関ＥＮＧ）と出力軸Ｏとの間の変速比（減速比）が大きい順に、第一段、第二段、第三段、第四段、第五段、及び第六段となっている。
【００２１】
第一遊星歯車機構ＰＧ１は、図３に示すように、複数のピニオンギヤＰ１を支持するキャリアＣＡ１と、ピニオンギヤＰ１にそれぞれ噛み合うサンギヤＳ１及びリングギヤＲ１と、の三つの回転要素を有したシングルピニオン型の遊星歯車機構とされている。第二遊星歯車機構ＰＧ２は、第一サンギヤＳ２及び第二サンギヤＳ３の二つのサンギヤと、リングギヤＲ２と、第一サンギヤＳ２及びリングギヤＲ２の双方に噛み合うロングピニオンギヤＰ２並びにこのロングピニオンギヤＰ２及び第二サンギヤＳ３に噛み合うショートピニオンギヤＰ３を支持する共通のキャリアＣＡ２と、の四つの回転要素を有したラビニヨ型の遊星歯車機構とされている。
【００２２】
第一遊星歯車機構ＰＧ１のサンギヤＳ１は、非回転部材としてのケースＣＳに固定されている。キャリアＣＡ１は、第三クラッチＣ３により第二遊星歯車機構ＰＧ２の第二サンギヤＳ３と選択的に一体回転するように駆動連結されるとともに、第一クラッチＣ１により第二遊星歯車機構ＰＧ２の第一サンギヤＳ２と選択的に一体回転するように駆動連結され、第一ブレーキＢ１によりケースＣＳに選択的に固定される。リングギヤＲ１は、入力軸Ｉと一体回転するように駆動連結されている。
【００２３】
第二遊星歯車機構ＰＧ２の第一サンギヤＳ２は、第一クラッチＣ１により第一遊星歯車機構ＰＧ１のキャリアＣＡ１と選択的に一体回転するように駆動連結される。キャリアＣＡ２は、第二クラッチＣ２により入力軸Ｉと選択的に一体回転するように駆動連結されるとともに、第二ブレーキＢ２又はワンウェイクラッチＯＷＣにより非回転部材としてのケースＣＳに選択的に固定される。ワンウェイクラッチＯＷＣは、一方向の回転のみを阻止することによりキャリアＣＡ２を選択的にケースＣＳに固定する。リングギヤＲ２は、出力軸Ｏと一体回転するように駆動連結されている。第二サンギヤＳ３は、第三クラッチＣ３により第一遊星歯車機構ＰＧ１のキャリアＣＡ１と選択的に一体回転するように駆動連結されるとともに、第一ブレーキＢ１によりケースＣＳに選択的に固定される。
【００２４】
本実施形態では、変速装置ＴＭが有するワンウェイクラッチＯＷＣを除く複数の係合装置Ｃ１、Ｃ２、Ｃ３、Ｂ１、Ｂ２は、いずれも摩擦係合装置とされている。具体的には、これらは油圧により動作する多板式クラッチや多板式ブレーキにより構成されている。これらの係合装置Ｃ１、Ｃ２、Ｃ３、Ｂ１、Ｂ２は、油圧制御装置ＰＣから供給される油圧により、係合の状態が制御される。なお、第一係合装置ＳＳＣも摩擦係合装置である。
【００２５】
摩擦係合装置は、その係合部材間の摩擦により、係合部材間でトルクを伝達する。摩擦係合装置の係合部材間に回転速度差（滑り）がある場合は、動摩擦により回転速度の大きい方の部材から小さい方の部材に伝達トルク容量の大きさのトルク（スリップトルク）が伝達される。摩擦係合装置の係合部材間に回転速度差（滑り）がない場合は、摩擦係合装置は、伝達トルク容量の大きさを上限として、静摩擦により摩擦係合装置の係合部材間に作用するトルクを伝達する。ここで、伝達トルク容量とは、摩擦係合装置が摩擦により伝達することができる最大のトルクの大きさである。伝達トルク容量の大きさは、摩擦係合装置の係合圧に比例して変化する。係合圧とは、入力側係合部材（摩擦板）と出力側係合部材（摩擦板）とを相互に押し付け合う圧力（又は力）である。本実施形態では、係合圧は、供給されている油圧の大きさに比例して変化する。すなわち、本実施形態では、伝達トルク容量の大きさは、摩擦係合装置に供給されている油圧の大きさに比例して変化する。
【００２６】
各摩擦係合装置は、リターンばねを備えており、ばねの反力により解放側に付勢されている。そして、各摩擦係合装置の油圧シリンダに供給される油圧により生じる力がばねの反力を上回ると、各摩擦係合装置に伝達トルク容量が生じ始め、各摩擦係合装置は、解放状態から係合状態に変化する。この伝達トルク容量が生じ始めるときの油圧を、ストロークエンド圧と称す。各摩擦係合装置は、供給される油圧がストロークエンド圧を上回った後、油圧の増加に比例して、その伝達トルク容量が増加するように構成されている。なお、摩擦係合装置は、リターンばねを備えておらず、油圧シリンダのピストンの両側にかかる油圧の差圧によって制御させる構造でもよい。
【００２７】
本実施形態において、係合状態とは、係合装置に伝達トルク容量が生じている状態であり滑り係合状態と直結係合状態とが含まれる。解放状態とは、係合装置に伝達トルク容量が生じていない状態である。また、滑り係合状態とは、係合装置の係合部材間に回転速度差（滑り）がある係合状態であり、直結係合状態とは、係合装置の係合部材間に回転速度差（滑り）がない係合状態である。また、非直結係合状態とは、直結係合状態以外の係合状態であり、解放状態と滑り係合状態とが含まれる。
【００２８】
なお、摩擦係合装置には、制御装置３０により伝達トルク容量を生じさせる指令が出されていない場合でも、係合部材（摩擦部材）同士の引き摺りによって伝達トルク容量が生じる場合がある。例えば、ピストンにより摩擦部材同士が押圧されていない場合でも、摩擦部材同士が接触し、摩擦部材同士の引き摺りによって伝達トルク容量が生じる場合がある。そこで、「解放状態」には、制御装置３０が摩擦係合装置に伝達トルク容量を生じさせる指令を出していない場合に、摩擦部材同士の引き摺りにより、伝達トルク容量が生じている状態も含まれるものとする。
【００２９】
１−２．油圧制御系の構成
車両用駆動伝達装置１の油圧制御系は、車両の駆動力源３や専用のモータによって駆動される油圧ポンプから供給される作動油の油圧を所定圧に調整するための油圧制御装置ＰＣを備えている。油圧制御装置ＰＣは、各係合装置Ｃ１、Ｂ１・・・、ＳＳＣなどに対して供給される油圧を調整するための複数のリニアソレノイド弁などの油圧制御弁を備えている。油圧制御弁は、制御装置３０から供給される油圧指令の信号値に応じて弁の開度を調整することにより、当該信号値に応じた油圧の作動油を各係合装置Ｃ１、Ｂ１・・・、ＳＳＣなどに供給する。制御装置３０から各リニアソレノイド弁に供給される信号値は電流値とされている。そして、各リニアソレノイド弁から出力される油圧は、基本的に制御装置３０から供給される電流値に比例する。
【００３０】
油圧制御装置ＰＣは、油圧調整用のリニアソレノイド弁から出力される油圧（信号圧）に基づき一又は二以上の調整弁の開度を調整することにより、当該調整弁からドレインする作動油の量を調整して作動油の油圧を一又は二以上の所定圧に調整する。所定圧に調整された作動油は、それぞれ必要とされるレベルの油圧で、変速装置ＴＭが有する複数の係合装置Ｃ１、Ｂ１・・・及び第一係合装置ＳＳＣ等に供給される。
【００３１】
１−３．制御装置の構成
次に、車両用駆動伝達装置１の制御を行う制御装置３０及び内燃機関制御装置３１の構成について、図２を参照して説明する。制御装置３０の制御ユニット３２〜３４及び内燃機関制御装置３１は、ＣＰＵ等の演算処理装置を中核部材として備えるとともに、当該演算処理装置からデータを読み出し及び書き込みが可能に構成されたＲＡＭ（ランダム・アクセス・メモリ）や、演算処理装置からデータを読み出し可能に構成されたＲＯＭ（リード・オンリ・メモリ）等の記憶装置等を有して構成されている。そして、制御装置のＲＯＭ等に記憶されたソフトウェア（プログラム）又は別途設けられた演算回路等のハードウェア、或いはそれらの両方により、制御装置３０の各機能部４１〜４５などが構成されている。また、制御装置３０の制御ユニット３２〜３４及び内燃機関制御装置３１は、互いに通信を行うように構成されており、センサの検出情報及び制御パラメータ等の各種情報を共有するとともに協調制御を行い、各機能部４１〜４５の機能が実現される。
【００３２】
また、車両用駆動伝達装置１は、センサＳｅ１〜Ｓｅ５などのセンサを備えており、各センサから出力される電気信号は制御装置３０及び内燃機関制御装置３１に入力される。制御装置３０及び内燃機関制御装置３１は、入力された電気信号に基づき各センサの検出情報を算出する。
【００３３】
入力回転速度センサＳｅ１は、入力軸Ｉの回転速度を検出するためのセンサである。入力軸Ｉには回転電機ＭＧのロータＲｏが一体的に駆動連結されているので、制御装置３０は、入力回転速度センサＳｅ１の入力信号に基づいて回転電機ＭＧの回転速度（角速度）、並びに入力軸Ｉの回転速度を検出する。出力回転速度センサＳｅ２は、出力軸Ｏの回転速度を検出するためのセンサである。制御装置３０は、出力回転速度センサＳｅ２の入力信号に基づいて出力軸Ｏの回転速度（角速度）を検出する。また、出力軸Ｏの回転速度は車速に比例するため、制御装置３０は、出力回転速度センサＳｅ２の入力信号に基づいて車速を算出する。機関回転速度センサＳｅ３は、機関出力軸Ｅｏ（内燃機関ＥＮＧ）の回転速度を検出するためのセンサである。内燃機関制御装置３１は、機関回転速度センサＳｅ３の入力信号に基づいて内燃機関ＥＮＧの回転速度（角速度）を検出する。
【００３４】
シフト位置センサＳｅ４は、運転者により操作されるシフトレバーの選択位置（シフト位置）を検出するためのセンサである。制御装置３０は、シフト位置センサＳｅ４の入力信号に基づいてシフト位置を検出する。シフトレバーは、パーキングレンジ（Ｐレンジ）、後進走行レンジ（Ｒレンジ）、ニュートラルレンジ（Ｎレンジ）、前進走行レンジ（Ｄレンジ）などに選択可能とされている。また、シフトレバーは、Ｄレンジの一種として、形成する前進変速段の範囲を制限する「２レンジ」や「Ｌレンジ」などの変速段制限レンジが選択可能に構成されている。また、シフトレバーは、Ｄレンジを選択しているときに、変速装置ＴＭに対してアップシフトを要求する「アップシフト要求スイッチ」やダウンシフトを要求する「ダウンシフト要求スイッチ」を操作可能に構成されている。アクセル開度センサＳｅ５は、アクセルペダルの操作量を検出するためのセンサである。制御装置３０は、アクセル開度センサＳｅ５の入力信号に基づいてアクセル開度を検出する。
【００３５】
１−３−１．車両制御ユニット３４
車両制御ユニット３４は、統合制御部４５を備えている。統合制御部４５は、内燃機関ＥＮＧ、回転電機ＭＧ、変速装置ＴＭ、及び第一係合装置ＳＳＣ等に対して行われる各種トルク制御、及び各係合装置の係合制御等を車両全体として統合する制御を行う。統合制御部４５は、アクセル開度、車速、及びバッテリの充電量等に応じて、車輪Ｗに伝達することが要求されるトルクである車輪要求トルクを算出するとともに、内燃機関ＥＮＧ及び回転電機ＭＧの運転モードを決定する。ここで、車輪要求トルクは、車輪Ｗの駆動のために車両用駆動伝達装置１を介して車輪に伝達することが要求されているトルクであって、車両のアクセル開度等の運転者の操作に基づいて決定される。なお、車輪要求トルクが、これ以外に、車両側からの指令、例えば、車両の姿勢制御装置等の車両運動制御部からの指令にも基づいて決定されてもよい。本実施形態では、車輪要求トルクは、変速終了後の入力トルクである変速後入力トルクに対応する出力トルクである変速後出力トルクに合致する。また、本実施形態では、制御装置３０は、運転モードとして、回転電機ＭＧのみを駆動力源３として動作させて走行する電動モードと、少なくとも内燃機関ＥＮＧを駆動力源３として走行するパラレルモードと、を有する。例えば、アクセル開度が小さく、バッテリの充電量が大きい場合に、運転モードとして電動モードが決定され、それ以外の場合、すなわちアクセル開度が大きい、もしくはバッテリの充電量が小さい場合に、運転モードとしてパラレルモードが決定される。
【００３６】
そして、統合制御部４５は、車輪要求トルク、運転モード、及びバッテリの充電量等に基づいて、内燃機関ＥＮＧに対して要求する出力トルクである内燃機関要求トルク、回転電機ＭＧに対して要求する出力トルクである回転電機要求トルク、第一係合装置ＳＳＣに供給する油圧の目標である油圧指令、及び変速装置ＴＭの各係合装置Ｃ１、Ｂ１・・・に供給する油圧の目標である油圧指令を算出し、それらを他の制御ユニット３２、３３及び内燃機関制御装置３１に指令して統合制御を行う。なお、基本的に、内燃機関要求トルクと回転電機要求トルクの合計が、車輪要求トルクに一致するように設定される。
【００３７】
１−３−２．内燃機関制御装置３１
内燃機関制御装置３１は、内燃機関ＥＮＧの動作制御を行う内燃機関制御部４１を備えている。本実施形態では、内燃機関制御部４１は、統合制御部４５又は変速制御部４３から内燃機関要求トルクが指令されている場合は、内燃機関ＥＮＧが内燃機関要求トルクを出力するように制御するトルク制御を行う。
【００３８】
１−３−３．回転電機制御ユニット３２
回転電機制御ユニット３２は、回転電機ＭＧの動作制御を行う回転電機制御部４２を備えている。本実施形態では、回転電機制御部４２は、統合制御部４５又は変速制御部４３から回転電機要求トルクが指令されている場合は、回転電機ＭＧが回転電機要求トルクを出力するように制御する。具体的には、回転電機制御部４２は、インバータが備える複数のスイッチング素子をオンオフ制御することにより、回転電機ＭＧの出力トルクを制御する。
【００３９】
１−３−４．動力伝達制御ユニット３３
動力伝達制御ユニット３３は、変速装置ＴＭの制御を行う変速制御部４３と、第一係合装置ＳＳＣの制御を行う第一係合制御部４４と、を備えている。
【００４０】
１−３−５．第一係合制御部４４
第一係合制御部４４は、第一係合装置ＳＳＣの係合状態を制御する。本実施形態では、第一係合制御部４４は、第一係合装置ＳＳＣに供給される油圧が、統合制御部４５又は変速制御部４３から指令された第一係合装置ＳＳＣの油圧指令に一致するように、油圧制御装置ＰＣに備えられた各リニアソレノイド弁に供給される信号値を制御する。
【００４１】
１−３−６．変速制御部４３
変速制御部４３は、複数の係合装置Ｃ１、Ｂ１、・・の係合及び解放を制御して、変速装置ＴＭに形成する変速段を切り替える変速制御を行う。本実施形態では、変速制御部４３は、車速、アクセル開度、及びシフト位置などのセンサ検出情報に基づいて変速装置ＴＭに形成させる目標変速段を決定する。そして、変速制御部４３は、油圧制御装置ＰＣを介して変速装置ＴＭに備えられた複数の係合装置Ｃ１、Ｂ１・・・に供給される油圧を制御することにより、各係合装置Ｃ１、Ｂ１・・・を係合又は解放して目標とされた変速段を変速装置ＴＭに形成させる。具体的には、変速制御部４３は、油圧制御装置ＰＣに各係合装置の油圧指令（目標油圧）を伝達し、油圧制御装置ＰＣは、伝達された油圧指令に応じた油圧を各係合装置に供給する。本実施形態では、変速制御部４３は、油圧制御装置ＰＣが備えた各リニアソレノイド弁に供給される信号値を制御することにより、各係合装置に供給される油圧を制御するように構成されている。
【００４２】
本実施形態では、変速制御部４３は、不図示のメモリに格納された変速マップを参照し、目標変速段を決定する。変速マップは、アクセル開度及び車速と、変速装置ＴＭにおける目標変速段との関係を規定したマップである。変速マップには複数のアップシフト線と複数のダウンシフト線とが設定されており、車速及びアクセル開度が変化して変速マップ上でアップシフト線又はダウンシフト線を跨ぐと、変速制御部４３は、変速装置ＴＭにおける新たな目標変速段を決定して変速段を変更すると判定する。また、変速制御部４３は、運転者によるシフトレバーの選択位置（シフト位置）の変更により、アップシフト要求又はダウンシフト要求があった場合に、目標変速段を変更する場合がある。なお、ダウンシフトとは変速比の小さい変速段から変速比の大きい変速段への変更を意味し、アップシフトとは変速比の大きい変速段から変速比の小さい変速段への変更を意味する。
【００４３】
変速制御部４３は、変速段を切り替える変速制御を行なう場合は、各係合装置Ｃ１、Ｂ１・・・の油圧指令を制御して、各係合装置Ｃ１、Ｂ１・・・の係合又は解放を行い、変速装置ＴＭに形成させる変速段を目標変速段に切り替える。この際、変速制御部４３は、変速のために解放される係合装置である解放側係合装置、及び変速のために係合される係合装置である係合側係合装置を設定する。そして、変速制御部４３は、予め計画された変速制御のシーケンスに従い、解放側係合装置を解放させると共に係合側係合装置を係合させる、いわゆるつなぎ替え変速を行う。
【００４４】
具体的には、変速制御部４３は、変速前の変速段を形成する複数の係合装置の内、変速後の変速段を形成する複数の係合装置との間で共通していない係合装置を解放側係合装置に設定する。変速制御部４３は、変速後の変速段を形成する複数の係合装置の内、変速前の変速段を形成する複数の係合装置との間で共通していない係合装置を係合側係合装置に設定する。例えば、変速前の変速段が第二段２ｎｄで、変速後の変速段が第三段３ｒｄである場合は、図４に示すように、第一ブレーキＢ１が解放側係合装置に設定され、第三クラッチＣ３が係合側係合装置に設定される。また、係合側係合装置は、変速制御の開始前は解放され、変速制御により係合される係合装置である。解放側係合装置は、変速制御の開始前は係合され、変速制御により解放される係合装置である。
【００４５】
なお、変速制御中は、変速制御部４３は、統合制御部４５に代わって、内燃機関ＥＮＧに対して要求する内燃機関要求トルク、回転電機ＭＧに対して要求する回転電機要求トルク、及び変速装置ＴＭの各係合装置Ｃ１、Ｂ１・・・に供給する油圧の目標である油圧指令を算出し、それらを他の制御ユニット３２、３３及び内燃機関制御装置３１に指令して統合制御を行う。
【００４６】
１−３−７．特定係合圧制御
変速制御部４３は、上記したように、係合側制御部４６、解放側制御部４７、及び入力トルク変更部４８を有している。係合側制御部４６は、変速比の異なる変速段に切り替える変速を行うために係合する係合装置である係合側係合装置の係合圧を制御する。解放側制御部４７は、変速のために解放する係合装置である解放側係合装置の係合圧を制御する。入力トルク変更部４８は、変速中に、駆動力源３の側から変速装置の入力軸Ｉに伝達される入力トルクを変更させる。そして、変速中に、係合側制御部４６および解放側制御部４７が係合側係合装置および解放側係合装置の係合圧を制御することで、係合側係合装置と解放側係合装置のトルク伝達の分担を変化させる際に、係合側制御部４６は、係合側係合装置の係合圧を、一定の変化率又は変化開始時の変化率が当該一定の変化率よりも大きい変化率で変化させる特定係合圧制御を行う（図６参照）。本実施形態では、係合側制御部４６は、この特定係合圧制御において、変速の終了後の入力トルクに相当するトルクを車輪Ｗ側に伝達できる係合圧まで係合側係合装置の係合圧を変化させる前倒し係合圧変化制御を行う。以下の説明では、係合側制御部４６、解放側制御部４７、及び入力トルク変更部４８を、変速制御部４３にまとめて説明する場合がある。
【００４７】
なお、係合装置の係合圧は、上記したように、入力側係合部材と出力側係合部材とを相互に押し付け合う圧力（又は力）であり、係合装置の伝達トルク容量の大きさは、係合圧に比例して変化する。本実施形態では、係合装置の係合圧（伝達トルク容量）は、係合装置に供給されている油圧の大きさに比例して変化する。
【００４８】
本実施形態では、変速制御部４３は、係合側係合装置の係合圧を増加させると共に解放側係合装置の係合圧を減少させる制御（以下、トルク相制御と称す）を行うことで、係合側係合装置と解放側係合装置のトルク伝達の分担を変化させるように構成されている。すなわち、トルク相制御において、係合側係合装置の係合圧を増加させると、係合側係合装置を伝達する伝達トルクが増加し、解放側係合装置の係合圧を減少させると、解放側係合装置を伝達する伝達トルクが減少し、係合側係合装置と解放側係合装置のトルク伝達の分担が変化する。
【００４９】
また、変速制御部４３は、解放側係合装置の係合部材間の回転速度差ΔＷ１を増加させ係合側係合装置の係合部材間の回転速度差ΔＷ２を減少させる回転変化を行う制御（以下、イナーシャ相制御と称す）を行うことで、入力軸Ｉの回転変化を行うように構成されている。本実施形態では、変速制御部４３は、車輪要求トルクが一定又は増加している状態で、より変速比の低い変速段に切り替える変速であるパワーオンアップシフトを行う場合に、係合側制御部４６、解放側制御部４７、及び入力トルク変更部４８による変速（入力トルク変更制御及び特定係合圧制御）を行うように構成されている。すなわち、パワーオンアップシフトを行う場合に、入力トルク変更部４８は、入力トルクを増加させる方向に変更させ、係合側制御部４６は、特定係合圧制御を行う。この特定係合圧制御によれば、出力トルクの変動を抑制してスムーズな変速を行わせることができる。そこで、一般的に、車両の運転者は、振動やショックの少ないスムーズな走行を求めると考えられる電動モード（回転電機ＭＧのみを駆動力源３として動作させて走行するモード）において、特定係合圧制御を実行すると好適である。
【００５０】
トルク伝達の分担の変化は、入力軸Ｉの回転変化が生じる前に開始されるように構成されている。すなわち、変速制御部４３は、トルク伝達の分担の変化（トルク相制御）の開始後、入力軸Ｉの回転変化を生じさせる（イナーシャ相制御を行う）ように構成されている。
【００５１】
トルク相制御が行われると、トルク伝達の関係は、変速前の変速段から変速後の変速段の状態に移行される。すなわち、トルク相制御の実行前は、入力トルクに変速前の変速段の変速比（ギヤ比）を乗算したトルクが出力軸Ｏに伝達されるが、トルク相制御の実行後は、入力トルクに変速後の変速段の変速比（ギヤ比）を乗算したトルクが出力軸Ｏに伝達されるようになる。そのため、変速比が減少するアップシフトの場合は、トルク相制御が行われると、入力軸Ｉに伝達される同じ入力トルクに対して出力軸Ｏに伝達されるトルクが減少する。トルク相制御中は、係合側係合装置の係合圧の増加、及び解放側係合装置の係合圧の低下に従って、トルク伝達の関係が変速前の変速段から変速後の変速段の状態に次第に移行していく。このような、トルク相制御における変速比（ギヤ比）の変化を、トルク変換比の変化とも称す。
【００５２】
トルク相制御が行われると、解放側係合装置は解放状態にされ、係合側係合装置は滑り係合状態にされる。そのため、駆動力源３から入力軸Ｉに伝達される入力トルクの内、滑り係合状態の係合側係合装置を介して、入力軸Ｉから出力軸Ｏ側に伝達される伝達トルクは、滑り係合状態の係合側係合装置の伝達トルク容量に応じたトルクになる。そのため、トルク相制御が行われると、出力軸Ｏに伝達されるトルクは、係合側係合装置の係合圧に応じて変化する。また、トルク相制御中において、解放側係合装置が直結係合状態のままである間は、入力トルクの内、係合側係合装置を介して伝達されるトルクを除いたトルクが、解放側係合装置を介して、入力軸Ｉから出力軸Ｏ側に伝達される。
【００５３】
イナーシャ相制御が行われると、回転速度の関係も、変速前の変速段から変速後の変速段の状態に移行される。すなわち、イナーシャ相制御の実行前は、入力軸Ｉの回転速度を変速前の変速段の変速比（ギヤ比）で除算した回転速度が出力軸Ｏの回転速度になるが、イナーシャ相制御の実行後は、入力軸Ｉの回転速度を変速後の変速段の変速比（ギヤ比）で除算した回転速度が出力軸Ｏの回転速度になる。そのため、変速比が減少するアップシフトの場合は、イナーシャ相制御が行われると、同じ出力軸Ｏの回転速度に対して入力軸Ｉの回転速度が減少する。イナーシャ相制御中は、解放側係合装置の回転速度差ΔＷ１の増加、係合側係合装置の回転速度差ΔＷ２の減少に従って、回転速度の関係が変速前の変速段から変速後の変速段の状態に次第に移行していく。
【００５４】
変速制御部４３（入力トルク変更部４８）は、変速中に、駆動力源３の側から変速装置ＴＭの入力軸Ｉに伝達される入力トルクを変更させる。以下、当該入力トルクの変更を入力トルク変更制御と称す。変速制御部４３は、トルク伝達の分担を変化させる際に（トルク相制御において）、係合側係合装置の係合圧を、一定の変化率又は変化開始時の変化率が当該一定の変化率よりも大きい変化率で変化させる特定係合圧制御を行う（図６参照）。更に本実施形態では、係合側制御部４６は、この特定係合圧制御において、係合側係合装置の係合圧を、変速の終了後の入力トルクに相当するトルク（以下、変速後入力トルクとも称す）を車輪Ｗ側に伝達できる係合圧（以下、変化係合圧とも称す）まで変化（本例では増加）させる前倒し係合圧変化制御を行う。
【００５５】
本実施形態では、変速制御部４３は、特定係合圧制御（前倒し係合圧変化制御）において、係合側係合装置の係合圧を変化させる指令値（本例では油圧指令）を、入力トルク変更制御（入力トルク変更部４８）による入力トルクの変更よりも位相を進めて変化（本例では増加）させるように構成されている。本実施形態では、変速制御部４３は、パワーオンアップシフトを行う場合に、係合側制御部４６、解放側制御部４７、及び入力トルク変更部４８による変速（入力トルク変更制御及び特定係合圧制御）を行い、入力トルク変更部４８は、入力トルク変更制御において、入力トルクを増加させる方向に変更させるように構成されている。なお、入力トルク変更部４８による入力トルクの変更は、駆動力源３としての内燃機関ＥＮＧ及び回転電機ＭＧの双方の出力トルクを変更することにより行っても良いが、内燃機関ＥＮＧ及び回転電機ＭＧのいずれか一方のみの出力トルクを変更することにより行っても良い。例えば、入力トルク変更部４８による入力トルクの変更を、内燃機関ＥＮＧよりも応答性が高い回転電機ＭＧの出力トルクを変更することにより行う構成としても好適である。
【００５６】
本実施形態では、変速制御部４３は、変速による変速比の変化に起因する、変速装置ＴＭから出力軸Ｏを介して車輪Ｗに伝達される出力トルクの変化が減少するように、入力トルクを変更させるように構成されている。例えば、アップシフトの場合は、変速により変速比が減少するため、入力トルクを増加させなければ、出力トルクが減少する。そのため、変速制御部４３は、アップシフトの場合は、出力トルクの変動が減少するように、変速中に、入力トルクを増加させる。一方、ダウンシフトの場合は、変速により変速比が増加するため、入力トルクを減少させなければ、出力トルクが増加する。そのため、変速制御部４３は、ダウンシフトの場合は、出力トルクの変動が減少するように、変速中に、入力トルクを減少させる。本実施形態では、変速制御部４３は、変速の前後で、出力トルクが変動しないように、変速中に、入力トルクを増加又は減少させるように構成されている。変速制御部４３は、変速後の入力トルクＴｉｎａｆが、式（１）に示すように、変速の開始前の入力トルクＴｉｎｂｆ（以下、変速前入力トルクとも称す）に、変速後の変速比Ｋａｆに対する変速前の変速比Ｋｂｆの比を乗算したトルクになるように、変速中に、入力トルクを変更させる。
Ｔｉｎａｆ＝Ｔｉｎｂｆ×Ｋｂｆ／Ｋａｆ        ・・・（１）
【００５７】
上記のように、トルク相制御において、解放側係合装置の係合圧を減少させ、係合側係合装置の係合圧を増加させると、入力軸Ｉに伝達される入力トルクの内、滑り係合状態の係合側係合装置を介して、入力軸Ｉから出力軸Ｏ側に伝達される伝達トルクは、係合側係合装置の伝達トルク容量に応じたトルクになる。トルク相制御において前倒し係合圧変化制御が行われると、滑り係合状態の係合側係合装置を介して入力軸Ｉ側から出力軸Ｏに伝達される出力トルクが、変速の終了後の入力トルクに相当する変速後入力トルクまで増加されるので、トルク相制御中（トルク伝達分担の変化中）から、変速の終了後の入力トルクに相当する変速後入力トルクを出力軸Ｏに伝達可能になる。そのため、変速中の出力トルクの変動を抑制することができる。
【００５８】
また、トルク相制御において特定係合圧制御（前倒し係合圧変化制御）が行われても、駆動力源３から入力軸Ｉに伝達される入力トルクが同じままであると、係合側係合装置の係合圧が変化係合圧まで増加されるまでの間、解放される前の直結係合状態の解放側係合装置及び滑り係合状態の係合側係合装置を介して入力軸Ｉから出力軸Ｏ側に伝達されるトルクが、車輪Ｗに伝達することが要求されるトルクである車輪要求トルクから変動する。
更には、滑り係合状態の係合側係合装置及び直結係合状態の解放側係合装置を介して入力軸Ｉから出力軸Ｏ側に伝達されるトルクに対して、駆動力源３から入力軸Ｉに伝達される入力トルクが不足又は過剰になって入力軸Ｉの回転速度が変動する。ここで、車輪要求トルクは、変速終了後の入力トルクである変速後入力トルクに対応する、変速の終了後の出力トルク（変速後出力トルク）に合致している。
【００５９】
そこで、変速制御部４３（入力トルク変更部４８）は、入力トルク変更制御において、トルク相制御中（トルク伝達の分担が変化している間）に、入力トルクを変速の終了後の入力トルクに相当する変速後入力トルクまで変更させるように構成されている。この構成によれば、トルク相制御において、係合側係合装置の係合圧が変化係合圧まで増加されるまでの間において、滑り係合状態の係合側係合装置及び直結係合状態の解放側係合装置を介して、出力軸Ｏに伝達される出力トルクが、車輪要求トルクから変動することを抑制できる。
【００６０】
本実施形態では、変速制御部４３は、予め設定されたトルク相制御の期間で、入力トルクを、変速前入力トルクから変速後入力トルクまで、次第に（本例では、一定の変化速度で）変化させるように構成されている。ここで、変速制御部４３によって、入力トルクの変化速度は、変速後入力トルクと変速前入力トルクとの偏差をトルク相制御の期間で除算した値となるように設定される。変速制御部４３は、トルク相制御中に、駆動力源３の制御部（本例では、内燃機関制御部４１及び回転電機制御部４２、又はこれらを統合制御する統合制御部４５）に対して伝達する、駆動力源３の出力トルクの指令（本例では、内燃機関要求トルク、回転電機要求トルク）を次第に変化させて、駆動力源３の出力トルクを次第に変化させるように構成されている。
【００６１】
内燃機関ＥＮＧ及び回転電機ＭＧのそれぞれには、出力可能な最大トルクが設定されており、入力トルクの増加は、それら駆動力源３の最大トルクに制限される。内燃機関ＥＮＧの場合は、燃焼室に充填可能な最大空気量や、燃焼室に供給可能な最大燃料量などにより、各運転条件の最大トルクが定まっている。回転電機ＭＧの場合は、回転電機ＭＧの回転速度やバッテリの充電量に応じて、最大トルクが定まっている。そのため、上記式（１）等に基づき、変速による変速比の減少に対応して、入力トルクを増加させようとしても、駆動力源３の最大トルクにより、入力トルクの増加が制限される場合がある。そこで、変速制御部４３は、駆動力源３の制御部（本例では、内燃機関制御部４１及び回転電機制御部４２、又はこれらを統合制御する統合制御部４５）から実際に出力可能な変速後入力トルクの情報を受け取るように構成されている。そして、変速制御部４３は、トルク相制御中に、駆動力源３の制御部から受け取った、駆動力源３が実際に出力可能な変速後入力トルクまで入力トルクを変更させるように構成されている。
【００６２】
より詳細には、変速制御部４３は、変速の開始後、上記式（１）に基づく等して、変速による変速比の変化に応じて変化させた目標の変速後入力トルクを、駆動力源３の制御部に伝達するように構成されている。そして、駆動力源３の制御部は、駆動力源３の最大トルク（本例では、内燃機関ＥＮＧの最大トルク、回転電機ＭＧの最大トルク）に基づき、変速制御部４３から伝達された目標の変速後入力トルクの範囲内で、駆動力源３が実際に出力可能な変速後入力トルクを判定して、変速制御部４３に伝達する。駆動力源３の制御部は、目標の変速後入力トルクが、駆動力源３の最大トルクの範囲内である場合は、目標の変速後入力トルクを、そのまま、駆動力源３が実際に出力可能な変速後入力トルクとして変速制御部４３に伝達する。一方、駆動力源３の制御部は、目標の変速後入力トルクが、内燃機関ＥＮＧの最大トルクの範囲外である場合は、駆動力源３の最大トルクを、駆動力源３が実際に出力可能な変速後入力トルクとして変速制御部４３に伝達する。
【００６３】
なお、内燃機関制御部４１は、内燃機関ＥＮＧの出力特性を用い、内燃機関ＥＮＧの回転速度などの運転条件に基づいて、内燃機関ＥＮＧの最大トルクを算出する。回転電機制御部４２は、回転電機ＭＧの出力特性を用い、回転電機ＭＧの回転速度やバッテリの充電量などの運転条件に基づいて、回転電機ＭＧの最大トルクを算出する。そして、変速制御部４３は、入力トルク変更制御において、トルク相制御中に、駆動力源３が実際に出力可能な変速後入力トルクまで次第に（本例では一定の変化速度で）入力トルクを変化させるように構成されている。このように、変速制御部４３は、駆動力源３の制御部から駆動力源３が実際に出力可能な変速後入力トルクの情報を受け取るので、変速制御部４３において、内燃機関ＥＮＧや回転電機ＭＧの出力特性マップ等のデータを備えておき、それらの最大トルクを算出する必要がない。そのため、変速制御部４３の処理負荷や記憶容量が増加することを抑制できる。また、内燃機関ＥＮＧや回転電機ＭＧの種類が変更される毎に、変速制御部４３に記憶する内燃機関ＥＮＧや回転電機ＭＧの出力特性を変更する必要がなく、製造コストを低減できる。
【００６４】
変速制御部４３は、上記したように、トルク相制御において、係合側係合装置の係合圧を、一定の変化率又は変化開始時の変化率が当該一定の変化率よりも大きい変化率で変化させる（図６参照）。そして、係合側係合装置の係合圧を、変速の終了後の入力トルクに相当する変速後入力トルクを車輪Ｗ側に伝達できる変化係合圧まで増加させる。本実施形態では、変速制御部４３は、変化係合圧を、変速後入力トルクを出力軸Ｏに伝達可能な係合圧（油圧）に設定している。具体的には、変速制御部４３は、変速後入力トルクに、係合側係合装置に作用する歯車の歯数比を乗算して係合側係合装置の伝達トルク容量を算出し、算出した伝達トルク容量を実現する油圧指令を算出する。
【００６５】
変速制御部４３は、入力トルクの変更と位相を合わせて、係合側係合装置の実際の係合圧が増加するように、係合側係合装置の係合圧を変化させる指令値（本例では、油圧指令）を、入力トルクの変更よりも位相を進めて変化（本例では増加）させるように構成されている。本実施形態では、変速制御部４３は、トルク相制御の開始後、入力トルクを変速後入力トルクまで変化させる入力トルク変化期間よりも短い期間に予め設定された係合圧変化期間で、係合側係合装置の油圧指令を変化係合圧まで次第に増加させるように構成されている。本例では、入力トルク変化期間は、トルク相制御の期間と同じ期間に設定されている。係合圧変化期間は、入力トルクの変更の位相と係合側係合装置の実際の係合圧の変化の位相が合うように、実験などにより予め適合され、設定されている。なお、係合圧変化期間は、入力トルク変化期間に対して、１より小さい値に予め設定された係数を乗算して設定されてもよい。ここで、特定係合圧制御において、係合側係合装置の係合圧（油圧）を、一定の変化率で変化させる場合、その変化率は、トルク相制御後の係合側係合装置の係合圧（油圧）とトルク相制御前の係合側係合装置の係合圧（油圧）との偏差を係合圧変化期間で除算した値となるように設定されると好適である。本実施形態では、このように設定された変化率を基準変化率とし、特定係合圧制御において、係合側制御部４６は、係合側係合装置の係合圧を一定の基準変化率で変化させる。また、特定係合圧制御において、係合側係合装置の係合圧（油圧）を、変化開始時の変化率が前記一定の変化率よりも大きい変化率で変化させる場合においても、当該一定の変化率は同様に設定される。この場合、本実施形態では、特定係合圧制御において、係合側制御部４６は、係合側係合装置の係合圧を基準変化率よりも変化開始時の変化率が大きい変化率で変化させる。
【００６６】
＜比較例のタイムチャート＞
図５に、比較例のタイムチャートを示す。図５の例では、本実施形態とは異なり、係合側係合装置の油圧指令が、入力トルクの変更に対して位相が遅れて増加されている（時刻Ｔ０２から時刻Ｔ０３）。これは、入力トルクの変化に対して油圧指令を追従させるように制御していることによるものである。このため、係合側係合装置の油圧指令は、一定の変化率の直線に対して変化開始時の変化率が小さい弧状（下に凸の弧状）の変化線Ｌ３に沿って変化している。これに応じて、係合側係合装置の実際の係合圧も、入力トルクの増加に対して位相が遅れて増加しており、一定の変化率の直線に対して変化開始時の変化率が小さい弧状（下に凸の弧状）の変化線Ｌ４に沿って変化している。このような遅れが生じている分だけ、滑り係合状態の係合側係合装置を介して入力軸Ｉから出力軸Ｏ側に伝達されるトルクが、増加されている入力トルクに対して不足しており、出力軸Ｏに伝達される出力トルクが、車輪要求トルクに対して低下している（時刻Ｔ０２から時刻Ｔ０４）。そのため、トルク相中に、車輪要求トルクに対する出力トルクの落ち込みが設定量ＳＰより大きくなっている。従って、運転者に比較的大きいトルク変動を感じさせるおそれがある。出力トルクが車輪要求トルクから乖離してトルクの落ち込みが発生すれば、そのトルク変動が運転者に不快感を与える可能性がある。そこで、設定量ＳＰは、許容できる出力トルクの変動の大きさに応じて予め設定した値とすると好適である。この設定量ＳＰは、車両の特定や性能等に応じて予め設定されるとよい。
【００６７】
＜本実施形態のタイムチャート＞
図６に、本実施形態のタイムチャートを示す。本実施形態では、変速制御部４３は、上記したように、トルク相制御中における、入力トルクの変更と位相を合わせて、係合側係合装置の実際の係合圧が増加するように、係合側係合装置の油圧指令を、入力トルクの変更よりも位相を進めて増加させている（時刻Ｔ１２から時刻Ｔ１３）。そのため、入力トルクの増加の位相と、係合側係合装置の実際の係合圧の増加の位相とが合わされている。
位相が合わされているため、増加されている入力トルクに対する、滑り係合状態の係合側係合装置を介して入力軸Ｉから出力軸Ｏ側に伝達されるトルクの不足が抑制されている。
これにより、出力軸Ｏに伝達される出力トルクにおける、車輪要求トルクに対する低下が抑制されており（時刻Ｔ１２から時刻Ｔ１３）、運転者にトルク変動を感じさせることを抑制できる。
【００６８】
次に、図６に示すタイムチャートの例を参照して、変速について、詳細に説明する。図６に示す例は、パワーオンアップシフトにおいて、変速を行う場合の例である。変速制御部４３は、車輪要求トルクが一定又は増加している状態において、時刻Ｔ１１で、目標変速段を変速比のより小さい変速段に変更したため、アップシフトを開始すると判定している。目標変速段は、例えば、車速の増加によりアップシフト線を跨いだ場合や、シフト位置が変更された場合等に変更される。
【００６９】
＜プレ相制御＞
変速制御部４３は、時刻Ｔ１１から時刻Ｔ１２の期間で、プレ相制御を行い、解放側係合装置及び係合側係合装置の係合圧を予め変化させている。
変速制御部４３は、時刻Ｔ１１から時刻Ｔ１２の期間で、解放側係合装置の油圧指令を完全係合圧から解放側基準圧まで低下させると共に、係合側係合装置の油圧指令をストロークエンド圧まで増加させている。ここで、完全係合圧は、駆動力源から各係合装置に伝達されるトルクが変動しても滑りのない係合状態を維持するために設定される最大限の係合圧（供給油圧、油圧指令）である。なお、係合側係合装置の供給油圧の立ち上がりを速めるため、係合側係合装置の油圧指令が一時的にステップ的に増加されている。解放側基準圧は、解放側係合装置が変速前入力トルクを出力軸Ｏ側に伝達可能な係合圧（油圧）に設定されている。
【００７０】
＜トルク相＞
変速制御部４３は、プレ相制御の実行後、時刻Ｔ１２から時刻Ｔ１４のトルク相制御の期間で、トルク相制御を行っている。
変速制御部４３は、トルク相制御の開始後、駆動力源３の制御部から駆動力源３が実際に出力可能な変速後入力トルクの情報を受け取っている（時刻Ｔ１２）。そして、変速制御部４３は、トルク相制御の期間（時刻Ｔ１２から時刻Ｔ１４）で、入力トルクを、変速前入力トルクから変速後入力トルクまで、一定の変化率（変化速度）で増加させている。図６に示す例では、変速後入力トルクは、上記式（１）に基づき、変速前後の変速比の変化により、変速前後で出力トルクが変動しないようなトルクに設定されている。また、変速後入力トルクは、駆動力源３が実際に出力可能なトルクに設定されている。本実施形態では、変速制御部４３は、トルク相制御の期間（時刻Ｔ１２から時刻Ｔ１４）で、目標のトルク変換比（変速比）を変速前のトルク変換比（変速比）から変速後のトルク変換比（変速比）まで一定の変化率で変化させるように構成されている。そして、変速制御部４３は、目標のトルク変換比の変化に応じて、駆動力源３の制御部に伝達する駆動力源３の出力トルクの指令を次第に変化させて、駆動力源３の出力トルクを次第に変化させるように構成されている。
【００７１】
変速制御部４３は、トルク相制御の開始後、係合側係合装置の係合圧（油圧）を、一定の変化率で変化させている。本実施形態では、変速制御部４３は、入力トルク変化期間（時刻Ｔ１２から時刻Ｔ１４）よりも短い期間に予め設定された係合圧変化期間（時刻Ｔ１２から時刻Ｔ１３）で、係合側係合装置の油圧指令を、ストロークエンド圧から、変速後入力トルクを伝達できる変化係合圧まで一定の変化率（変化速度）で増加させている。本実施形態では、この変化率が基準変化率である。そして、本例では、変速制御部４３は、係合側係合装置の係合圧（油圧）を、一定の基準変化率の変化線Ｌ１に沿って変化させている。これにより、係合側係合装置の油圧指令を、入力トルクの増加よりも位相を進めて増加させることができ、入力トルクの増加の位相と、係合側係合装置の実際の係合圧の増加の位相とが合わされている。よって、増加されている入力トルクに対する、係合側係合装置の伝達トルクの不足が抑制されており、車輪要求トルクに対する出力トルクの落ち込み（低下）が抑制されている。図６に示す例では、車輪要求トルクに対する出力トルクの落ち込みはほぼなく、一定の車輪要求トルクに対して一定の出力トルクが出力されている。すなわち、トルク相中、車輪要求トルクに対する出力トルクの落ち込みは設定量（ＳＰ）以下となっている。なお、図６の例では、車輪要求トルクは一定であるが、車輪要求トルクが増加していれば、出力トルクもそれに応じて増加する。また、変速制御部４３は、トルク相制御の開始後、入力トルク変化期間よりも短い期間に予め設定された係合圧減少期間（時刻Ｔ１２から時刻Ｔ１３）で、解放側係合装置の油圧指令を、解放側基準圧からストロークエンド圧以下まで次第に減少させている。
【００７２】
ところで、入力トルクの増加に対して、係合側係合装置の油圧指令の位相を更に進めて増加させる場合には、トルク相制御の開始後、係合側係合装置の係合圧（油圧）を、変化開始時の変化率が一定の変化率よりも大きい変化率で変化させても好適である。この場合においても、一定の変化率（基準変化率）は、上記と同様に設定できる。本実施形態では、変速制御部４３は、特定係合圧制御において、係合側係合装置の係合圧を、一定の基準変化率よりも変化開始時の変化率が大きい弧状（上に凸の弧状）の変化線Ｌ２に沿って変化させる。すなわち、本実施形態の場合、図６に一点鎖線で示すように、変速制御部４３は、入力トルク変化期間（時刻Ｔ１２から時刻Ｔ１４）よりも短い期間に予め設定された係合圧変化期間（時刻Ｔ１２から時刻Ｔ１３）で、係合側係合装置の油圧指令を、ストロークエンド圧から、変速後入力トルクを伝達できる変化係合圧まで変化線Ｌ２に沿って増加させる。ここで、変化開始時の変化率は、入力トルクの変更の位相と係合側係合装置の実際の係合圧の変化の位相が合うように、実験などにより予め適合され、設定されていると好適である。或いは、変化開始時の変化率は、基準変化率に対して、１より大きい値に予め設定された係数を乗算して設定されてもよい。ここで、変化線Ｌ２の曲線は、例えば、二次曲線状や円弧状とすることができる。
【００７３】
＜イナーシャ相制御＞
変速制御部４３は、トルク相制御の開始後（本例では、トルク相制御の終了後）、イナーシャ相制御を開始している（時刻Ｔ１４）。変速制御部４３は、イナーシャ相制御において、解放側係合装置の回転速度差ΔＷ１を増加させ、係合側係合装置の回転速度差ΔＷ２を減少させて、入力軸Ｉの回転速度を変化させる回転変化制御を行う。本実施形態では、変速制御部４３は、変速中のイナーシャ相制御において、少なくとも入力トルクを変化させて、入力軸Ｉの回転速度を変化させるように構成されている。変速制御部４３は、入力トルクを変速後入力トルクから変化させて、入力軸Ｉに回転変化を生じさせるように構成されている。図６に示すアップシフトの場合は、変速制御部４３は、入力トルクを変速後入力トルクからイナーシャトルクΔＴｉｎだけ低下させて、入力軸Ｉの回転速度を変速前同期回転速度から変速後同期回転速度まで低下させている（時刻Ｔ１４から時刻Ｔ１５）。一方、ダウンシフトの場合は、図示はしていないが、変速制御部４３は、入力トルクを変速後入力トルクからイナーシャトルクΔＴｉｎだけ増加させて、入力軸Ｉの回転速度を変速前同期回転速度から変速後同期回転速度まで増加させる。
【００７４】
変速前同期回転速度は、解放側係合装置の係合部材間の回転速度差ΔＷ１がゼロであると仮定した場合の入力軸Ｉの回転速度であり、変速制御部４３は、出力軸Ｏの回転速度に変速前の変速比を乗算して、変速前同期回転速度を算出する。入力軸Ｉの回転速度と変速前同期回転速度との回転速度差は、解放側係合装置の回転速度差ΔＷ１に比例するため、変速制御部４３は、入力軸Ｉの回転速度と変速前同期回転速度との回転速度差により、解放側係合装置の回転速度差ΔＷ１を判定するように構成されている。
【００７５】
変速後同期回転速度は、係合側係合装置の係合部材間の回転速度差ΔＷ２がゼロであると仮定した場合の入力軸Ｉの回転速度であり、変速制御部４３は、出力軸Ｏの回転速度に変速後の変速比を乗算して、変速後同期回転速度を算出する。入力軸Ｉの回転速度と変速後同期回転速度との回転速度差は、係合側係合装置の回転速度差ΔＷ２に比例するため、変速制御部４３は、入力軸Ｉの回転速度と変速後同期回転速度との回転速度差により、係合側係合装置の回転速度差ΔＷ２を判定するように構成されている。
【００７６】
変速制御部４３は、イナーシャ相制御の期間において、係合側係合装置の係合圧を、変速後入力トルクを伝達できる変化係合圧に維持するように構成されている（時刻Ｔ１４から時刻Ｔ１５）。これにより、イナーシャ相制御中も、滑り係合状態の係合側係合装置を介して、変速後入力トルクを出力軸Ｏに伝達でき、出力トルクを車輪要求トルクに合致するトルクに維持できている。
【００７７】
変速制御部４３は、時刻Ｔ１５で、係合側係合装置の回転速度差ΔＷ２が、予め定めた判定速度差以下になったので、係合側係合装置の係合圧を完全係合圧まで増加させて、係合側係合装置を直結係合状態に移行させ、変速を終了している。
【００７８】
＜フローチャート＞
次に、変速の処理について、図７のフローチャートを参照して説明する。
まず、変速制御部４３は、変速を開始する条件が成立したか否か判定する（ステップ♯０１）。変速制御部４３は、変速の開始条件が成立した場合（ステップ♯０１：Ｙｅｓ）に、上記したように、解放側係合装置及び係合側係合装置の係合圧を予め変化させるプレ相制御を行う（ステップ♯０２）。そして、変速制御部４３は、プレ相制御の終了後、トルク相制御の開始条件が成立したと判定し（ステップ♯０３：Ｙｅｓ）、トルク相制御を開始する。トルク相制御では、変速制御部４３は、係合側係合装置および解放側係合装置の係合圧を制御することで、係合側係合装置と解放側係合装置のトルク伝達の分担を変化させる。変速制御部４３は、トルク相制御の開始後、駆動力源３の制御部から駆動力源３が実際に出力可能な変速後入力トルクの情報を受け取る（ステップ♯０４）。そして、変速制御部４３は、トルク相制御の開始後、トルク相制御中に、入力トルクを変速後入力トルクまで変更させる入力トルク変更制御を開始する（ステップ♯０５）。また、係合側制御部４６は、トルク相制御の開始後、係合側係合装置の係合圧を、一定の変化率又は変化開始時の変化率が当該一定の変化率よりも大きい変化率で変化させる特定係合圧制御を開始する（ステップ♯０６）。本実施形態では、変速制御部４３は、特定係合圧制御において、入力トルクの変更と位相を合わせて、係合側係合装置の実際の係合圧が増加するように、係合側係合装置の係合圧を変化させる指令値を、入力トルクの変更よりも位相を進めて変化させる前倒し係合圧変化制御を行う。
【００７９】
そして、変速制御部４３は、トルク相制御の終了後、イナーシャ相制御の開始条件が成立したと判定し（ステップ♯０７：Ｙｅｓ）、イナーシャ相制御を開始する。変速制御部４３は、イナーシャ相制御の開始後、少なくとも入力トルクを変化させて、入力軸Ｉの回転速度を変化させる回転変化制御を開始する（ステップ♯０８）。変速制御部４３は、係合側係合装置の回転速度差ΔＷ２が、予め定めた判定速度差以下になった場合（ステップ♯０９：Ｙｅｓ）に、係合側係合装置の係合圧を完全係合圧まで増加させて（ステップ♯１０）、変速を終了する。
【００８０】
２．第２の実施形態
上記の第１の実施形態において、変速制御部４３は、入力トルク変更制御において、トルク相制御中に、入力トルクを変速後入力トルクまで変更させ、入力トルクの変更と位相を合わせて、係合側係合装置の実際の係合圧が増加するように、係合側係合装置の油圧指令を、入力トルクの変更よりも位相を進めて増加させるように構成されている場合を例として説明した。しかし、これに限定されるものではなく、変速制御部４３は、変速中に、駆動力源３から変速装置ＴＭに伝達される入力トルクを変更させる入力トルク変更制御を行えば、入力トルク変更制御の実行時期は、変速中のいずれの時期であってもよい。また、変速制御部４３は、係合側係合装置の係合圧を変化させる指令値を、入力トルク変更制御による入力トルクの変更よりも位相を進めて変化させれば、位相の進め度合はどのような度合であってもよい。例えば、変速制御部４３は、入力トルク変更制御において、イナーシャ相制御中（入力軸Ｉの回転速度の変化中）に、入力トルクを変速の終了後の入力トルクに相当する変速後入力トルクまで変更させるように構成されてもよい。
【００８１】
この場合について、図９に示すタイムチャートの例に基づき説明する。図９は、図６と同じパワーオンアップシフトの場合の例であり、図６及び第１の実施形態と共通する部分の説明は省略する。変速制御部４３は、イナーシャ相制御中（時刻Ｔ３４から時刻Ｔ３５）に、入力トルクを変速後入力トルクまで変更させている。また、変速制御部４３は、イナーシャ相制御中に、入力トルクを変化させて、入力軸Ｉの回転速度を変化させる回転変化制御を実行している。一方、変速制御部４３は、トルク相制御において、特定係合圧制御及び前倒し係合圧変化制御を実行している（時刻Ｔ３２から時刻Ｔ３４）。そのため、イナーシャ相制御における入力トルクの変更に対して、トルク相制御における係合側係合装置の係合圧を変化させる指令値の変化は、位相が進んでいる。本実施形態でも、特定係合圧制御は、係合側係合装置の係合圧を、一定の変化率又は変化開始時の変化率が当該一定の変化率よりも大きい変化率で変化させる制御である。本例では、上記第一実施形態と同様に、特定係合圧制御において、係合側係合装置の係合圧（油圧）を、一定の基準変化率の変化線Ｌ１に沿って変化させ、或いは、一定の基準変化率よりも変化開始時の変化率が大きい弧状（上に凸の弧状）の変化線Ｌ２に沿って変化させる。なお、図９では、弧状の変化線Ｌ２を一点鎖線で示している。
【００８２】
トルク相制御において、係合側係合装置の係合圧が、変速後入力トルクを車輪Ｗ側に伝達できる変化係合圧まで増加されているにもかかわらず、トルク相制御において、入力トルクは、変速前入力トルクから増加されていない（時刻Ｔ３２から時刻Ｔ３４）。そのため、トルク相制御において、トルク伝達の関係が、変速前の変速段から変速後の変速段の状態に移行していくに従い、トルク変換比（変速比）が減少し、出力トルクが低下していく（時刻Ｔ３２から時刻Ｔ３３）。一方、係合側係合装置の係合圧は、変速前入力トルクより大きい変速後入力トルクを車輪Ｗ側に伝達できる変化係合圧まで次第に増加されていく。そして、時刻Ｔ３３で、直結係合状態の解放側係合装置及び滑り係合状態の係合側係合装置を介して入力軸Ｉから出力軸Ｏ側に伝達されるトルクが、変速前入力トルクを上回ると、解放側係合装置が滑り係合状態になり、入力軸Ｉの回転速度が、変速前同期回転速度から低下し始める。また、滑り係合状態の解放側係合装置及び滑り係合状態の係合側係合装置を介して、出力軸Ｏに伝達される出力トルクが、変速前入力トルクに応じたトルクから、車輪要求トルクまで次第に増加していく（時刻Ｔ３３から時刻Ｔ３４）。このように、トルク相制御において、入力トルクが変速前入力トルクのままである状態でも、係合側係合装置の係合圧を、変速後入力トルクを伝達できる変化係合圧まで、位相を進めて増加させるので、トルク相制御中に出力トルクが車輪要求トルクから若干減少するものの、トルク相制御の終了後には、出力トルクを車輪要求トルクまで増加させることができる。図９に示す例では、一定の車輪要求トルクに対して出力トルクの落ち込みは少なく抑えられている。そして、トルク相中、車輪要求トルクに対する出力トルクの落ち込みは設定量（ＳＰ）以下となっている。なお、図９の例では、車輪要求トルクは一定であるが、車輪要求トルクが増加していれば、出力トルクもそれに応じて増加する。
【００８３】
解放側係合装置及び係合側係合装置を介して入力軸Ｉから出力軸Ｏ側に伝達されるトルクが、変速前入力トルクを上回ったトルク分は、入力軸Ｉの回転速度を低下させるイナーシャトルクΔＴｉｎ２として作用する。そのため、変速制御部４３は、係合装置のトルク伝達によるイナーシャトルクΔＴｉｎ２分だけ、入力軸Ｉの回転変化のために変化させる入力トルクのイナーシャトルクΔＴｉｎを減少させている（時刻Ｔ３３から時刻Ｔ３５）。
【００８４】
図８に、図９に対する比較例のタイムチャートを示す。図８の例では、図９の場合とは異なり、トルク相制御において、係合側係合装置の係合圧が、変速後入力トルクを伝達できる変化係合圧まで増加されておらず、変速前入力トルクを伝達できる係合圧まで増加されている（時刻Ｔ２２から時刻２３）。そのため、トルク相制御において、係合側係合装置の係合圧が増加していっても、係合側係合装置及び解放側係合装置を介して入力軸Ｉから出力軸Ｏ側に伝達されるトルクが、変速前入力トルクを上回ることはなく、トルク変換比（変速比）が減少するに従い、出力トルクが低下していき、車輪要求トルクに対する出力トルクの低下量が、図９の場合に比べて大きくなる（時刻Ｔ２２から時刻Ｔ２３）。そのため、トルク相中に、車輪要求トルクに対する出力トルクの落ち込みが設定量ＳＰより大きくなっている。また、図８の例では、イナーシャ相制御において、入力トルクが変速後入力トルクまで増加されるのに合わせて、係合側係合装置の係合圧が、変速前入力トルクを伝達できる係合圧から、変速後入力トルクを伝達できる変化係合圧まで次第に増加されている（時刻Ｔ２３から時刻２４）。そのため、イナーシャ相制御の期間で、出力トルクが変速前入力トルクに対応した出力トルクから車輪要求トルクまで次第に増加している。このように、係合側係合装置の係合圧が、図９の例のように、トルク相制御において変化係合圧まで増加されていないので、図９の例に比べて、車輪要求トルクに対する出力トルクの低下量が大きくなると共に、出力トルクの低下期間が長くなっている。このように、図８の例との比較で、図９の例における、出力トルクの低減抑制効果が理解できる。
【００８５】
次に、図９の例に示した変速の処理について、図１０のフローチャートを参照して説明する。
まず、変速制御部４３は、変速を開始する条件が成立したか否か判定する（ステップ♯２１）。変速制御部４３は、変速の開始条件が成立した場合（ステップ♯２１：Ｙｅｓ）に、上記したように、解放側係合装置及び係合側係合装置の係合圧を予め変化させるプレ相制御を行う（ステップ♯２２）。そして、変速制御部４３は、プレ相制御の終了後、トルク相制御の開始条件が成立したと判定し（ステップ♯２３：Ｙｅｓ）、トルク相制御を開始する。トルク相制御では、変速制御部４３は、係合側係合装置および解放側係合装置の係合圧を制御することで、係合側係合装置と解放側係合装置のトルク伝達の分担を変化させる。変速制御部４３は、トルク相制御の開始後、駆動力源３の制御部から駆動力源３が実際に出力可能な変速後入力トルクの情報を受け取る（ステップ♯２４）。そして、変速制御部４３は、トルク相制御の開始後、係合側係合装置の係合圧を、一定の変化率又は変化開始時の変化率が当該一定の変化率よりも大きい変化率で変化させる特定係合圧制御を開始する（ステップ♯２５）。
【００８６】
そして、変速制御部４３は、トルク相制御の終了後、イナーシャ相制御の開始条件が成立したと判定し（ステップ♯２６：Ｙｅｓ）、イナーシャ相制御を開始する。変速制御部４３は、イナーシャ相制御の開始後、イナーシャ相制御中に、入力トルクを変速後入力トルクまで変化させる入力トルク変更制御を開始すると共に、少なくとも入力トルクを変化させて、入力軸Ｉの回転速度を変化させる回転変化制御を開始する（ステップ♯２７）。
変速制御部４３は、係合側係合装置の回転速度差ΔＷ２が、予め定めた判定速度差以下になった場合（ステップ♯２８：Ｙｅｓ）に、係合側係合装置の係合圧を完全係合圧まで増加させて（ステップ♯２９）、変速を終了する。
【００８７】
３．その他の実施形態
最後に、その他の実施形態について説明する。なお、以下に説明する各実施形態の構成は、それぞれ単独で適用されるものに限られず、矛盾が生じない限り、他の実施形態の構成と組み合わせて適用することも可能である。
【００８８】
（１）上記の実施形態において、制御装置３０は、複数の制御ユニット３２〜３４を備え、これら複数の制御ユニット３２〜３４が分担して複数の機能部４１〜４５を備える場合を例として説明した。しかし、これに限定されるものではなく、制御装置３０は、上述した複数の制御ユニット３２〜３４を任意の組み合わせで統合又は分離した制御装置として備えるようにしてもよく、複数の機能部４１〜４５の分担も任意に設定することができる。
【００８９】
（２）上記の実施形態においては、変速装置ＴＭは、２つの遊星歯車機構を有し、６つの係合装置を有し、６つの前進変速段を有し、各変速段は２つの係合装置が係合されることにより形成される場合を例として説明した。しかし、これに限定されるものではなく、変速装置ＴＭは、少なくとも２つ以上の係合装置の係合で形成される変速段を２つ以上有していれば、どのような構成であってもよい。すなわち、変速装置ＴＭは、２つ以上又は１つの遊星歯車機構を有してもよく、３つ以上の係合装置を有してもよく、２つ以上の前進変速段を有してもよく、各変速段は２つの係合装置が係合されることにより、或いは３つ以上の係合装置が係合されることにより形成されてもよい。
【００９０】
（３）上記の実施形態において、変速制御部４３は、トルク相制御（トルク伝達の分担の変化）の終了後に、イナーシャ相制御（入力軸Ｉの回転変化）を開始するように構成されている場合を例として説明した。しかし、これに限定されるものではなく、変速制御部４３は、トルク伝達の分担の変化は、入力軸Ｉの回転変化が生じる前に開始されればよく、トルク相制御を行っている間に、イナーシャ相制御が開始されてもよい。
【００９１】
（４）上記の実施形態において、変速制御部４３は、変速において、パワーオンアップシフトを行う場合に、係合側制御部４６、解放側制御部４７、及び入力トルク変更部４８による変速（入力トルク変更制御及び前倒し係合圧変化制御）を行う場合を例として説明した。しかし、これに限定されるものではなく、変速制御部４３は、変速において、入力トルクが車両を減速させる方向の負トルクである状態で、より変速比の高い変速段に切り替える変速であるパワーオフダウンシフトを行う場合に、係合側制御部４６、解放側制御部４７、及び入力トルク変更部４８による変速（入力トルク変更制御及び特定係合圧制御）を行うように構成されてもよい。この場合は、入力トルク変更制御においては、入力トルクを減少させる方向に変更させ、回転変化制御においては、入力軸Ｉの回転速度が増加される。
【００９２】
（５）上記の実施形態において、変速制御部４３は、駆動力源３の制御部から駆動力源３が実際に出力可能な変速後入力トルクの情報を受け取るように構成されている場合を例として説明した。しかし、これに限定されるものではなく、変速制御部４３は、内燃機関ＥＮＧ及び回転電機ＭＧの出力特性マップ等のデータを備え、内燃機関ＥＮＧの回転速度などの運転条件に基づいて、内燃機関ＥＮＧの最大トルクを算出すると共に、回転電機ＭＧの回転速度やバッテリの充電量などの運転条件に基づいて、回転電機ＭＧの最大トルクを算出して、駆動力源３が実際に出力可能な変速後入力トルクの情報を取得するように構成されてもよい。
【００９３】
（６）上記の実施形態においては、係合側係合装置及び解放側係合装置は供給油圧（油圧指令）を増加させることで係合圧（伝達トルク容量）が増加するように構成されている場合を例として説明した。しかし、これに限定されるものではなく、係合側係合装置及び解放側係合装置の一方又は双方は、供給油圧（油圧指令）を減少させることで係合圧（伝達トルク容量）が増加するように構成されてもよい。この場合は、例えば、リターンばねが係合側に付勢しており、係合装置への供給油圧が解放側に押圧するように構成されてもよい。この場合は、変速制御部４３は、係合側係合装置及び解放側係合装置の一方又は双方の供給油圧（油圧指令）を減少させることで、係合側係合装置及び解放側係合装置の一方又は双方の係合圧を増加させるように構成される。
【００９４】
４．上記実施形態の概要
以下、上記において説明した車両用駆動伝達装置（１）の制御装置（３０）の概要について説明する。
【００９５】
制御装置（３０）は、駆動力源（３）と車輪（Ｗ）とを結ぶ動力伝達経路（２）に、複数の係合装置を備えると共に当該複数の係合装置の係合の状態に応じて変速比の異なる複数の変速段が選択的に形成される変速装置（ＴＭ）が設けられた車両用駆動伝達装置（１）を制御対象とし、変速比の異なる変速段に切り替える変速を行うために係合する係合装置である係合側係合装置の係合圧を制御する係合側制御部（４６）と、変速のために解放する係合装置である解放側係合装置の係合圧を制御する解放側制御部（４７）と、変速中に、駆動力源（３）の側から変速装置（ＴＭ）の入力軸（Ｉ）に伝達される入力トルクを変更させる入力トルク変更部（４８）と、を有し、変速中に、係合側制御部（４６）および解放側制御部（４７）が係合側係合装置および解放側係合装置の係合圧を制御することで、係合側係合装置と解放側係合装置のトルク伝達の分担を変化させる際に、係合側制御部（４６）は、係合側係合装置の係合圧を、変化開始時の変化率が一定の変化率よりも大きい変化率で変化させる特定係合圧制御を行う。
【００９６】
このような構成によれば、入力トルク変更部（４８）により、変速中に、入力トルクを変更させるので、変速の開始前から終了後までにおける、変速装置（ＴＭ）から車輪（Ｗ）側に伝達される出力トルクの変化を制御することが可能になる。また、係合側制御部（４６）および解放側制御部（４７）により、係合側係合装置および解放側係合装置の係合圧が制御されることで、係合側係合装置と解放側係合装置のトルク伝達の分担が変化されると、滑り係合状態の係合側係合装置の係合圧に応じた出力トルクが車輪（Ｗ）側に伝達されるようになる。そして、トルク伝達の分担を変化させる際に、係合側制御部（４６）は、係合側係合装置の係合圧を、一定の変化率又は変化開始時の変化率が当該一定の変化率よりも大きい変化率で変化させる特定係合圧制御を行う。このような特定係合圧制御は、入力トルク変更部（４８）により変更される入力トルクの変速終了後の値に基づいて係合側係合装置の係合圧を変化させることで可能になる。そして、このような特定係合圧制御を行うことにより、変速中の出力トルクの変動を抑制することができる。
【００９７】
ここで、前記車輪（Ｗ）に伝達することが要求されるトルクである車輪要求トルクが一定又は増加している状態で、より変速比の低い変速段に切り替える変速であるパワーオンアップシフトを行う場合に、入力トルク変更部（４８）は、入力トルクを増加させる方向に変更させ、係合側制御部（４６）は、前記特定係合圧制御を行うと好適である。
【００９８】
この場合、車輪要求トルクが一定又は増加しており車両は加速しているので、上記のように、出力トルクの変動を抑制することにより、スムーズな変速を行わせることができる。また、アップシフトが行われると、変速装置（ＴＭ）の変速比が減少するため、同じ入力トルクでは、出力トルクが減少する。上記の構成によれば、入力トルク変更部（４８）により入力トルクが増加されるので、変速の開始前と終了後との出力トルクの減少量を低減することができ、スムーズな変速を行わせることができる。
【００９９】
また、前記トルク伝達の分担の変化中における、車輪（Ｗ）に伝達することが要求されるトルクである車輪要求トルクに対する、車輪（Ｗ）に伝達されるトルクである出力トルクの落ち込みが、設定量（ＳＰ）以下であると好適である。
【０１００】
この構成によれば、車輪要求トルクに対する実際の出力トルクの落ち込みが設定量以下に抑えられるため、変速による出力トルクの変動を抑制してスムーズな変速を行わせることができる。
【０１０１】
また、係合側制御部（４６）は、前記特定係合圧制御において、変速の終了後の入力トルクに相当するトルクを車輪（Ｗ）側に伝達できる係合圧まで係合側係合装置の係合圧を変化させると好適である。
【０１０２】
この構成によれば、入力トルク変更部により変更される入力トルクの変速終了後の値、すなわち変速後入力トルクを車輪側に伝達できる係合圧まで係合側係合装置の係合圧を変化させるので、係合側係合装置と解放側係合装置のトルク伝達の分担の変化中から、変速後入力トルクを出力軸に伝達可能になる。これにより、変速中の出力トルクの変動を抑制することができる。
【０１０３】
また、トルク伝達の分担の変化は、入力軸（Ｉ）の回転変化が生じる前に開始されると好適である。
【０１０４】
この構成によれば、入力軸（Ｉ）の回転変化に対し早期化して、変速後入力トルクを出力軸（Ｏ）に伝達可能になる。そのため、変速中の出力トルクの変動を抑制することができる。
【０１０５】
また、係合側制御部（４６）は、前記特定係合圧制御において係合側係合装置の係合圧を変化させる指令値を、入力トルク変更部（４８）による入力トルクの変更よりも位相を進めて変化させると好適である。
【０１０６】
この構成によれば、係合側係合装置の係合圧を変化させる指令値が、入力トルクの変更よりも位相を進めて変化される。そのため、出力トルクを、入力トルクの変更に対して早めて、変速後入力トルクに対応する変速後の出力トルク（車輪要求トルク）まで変化させることができ、変速中の出力トルクの変動を抑制することができる。
【０１０７】
また、入力トルク変更部（４８）は、トルク伝達の分担が変化している間に、駆動力源（３）の側から変速装置（ＴＭ）に伝達される入力トルクを変速の終了後の入力トルクに相当するトルクまで変更させ、係合側制御部（４６）は、前記特定係合圧制御において、入力トルクの変更と位相を合わせて係合側係合装置の実際の係合圧が変化するように、係合側係合装置の係合圧を変化させる指令値を、入力トルクの変化よりも位相を進めて変化させると好適である。
【０１０８】
トルク伝達の分担を変化させている間は、トルク伝達の関係が、変速前の変速段から変速後の変速段の状態に移行する過渡状態となる。そのため、入力トルクの変更と、係合側係合装置の係合圧の変化とをタイミングを合わせて変化させないと、出力トルクが変動するおそれがある。しかし、係合装置の実際の係合圧は、指令値の変化に対して遅れて変化するため、入力トルクの変更に対して、係合側係合装置の実際の係合圧の変化の位相が遅れ易い。上記の構成によれば、トルク伝達の分担を変化させている間の入力トルクの変更に位相を合わせて、係合側係合装置の実際の係合圧を変化させることができる。そのため、トルク相制御中に、出力トルクが変動することを抑制できる。
【０１０９】
また、入力トルク変更部（４８）は、入力軸（Ｉ）の回転速度の変化中に、入力トルクを変速の終了後の入力トルクに相当するトルクまで変化させると好適である。
【０１１０】
入力軸（Ｉ）の回転速度の変化中に、入力トルクを変速後入力トルクまで変更させたとしても、トルク伝達の分担を変化させている間において、係合側係合装置の係合圧が、変速後入力トルクを伝達できる係合圧まで、位相を進めて変化される。そのため、トルク伝達の分担を変化させている間に出力トルクが車輪要求トルクから変動し易くなるものの、トルク伝達の分担の変化の終了後には、出力トルクを車輪要求トルクまで増加させることができる。よって、入力トルクの変更に対して早めて、出力トルクを車輪要求トルクまで変化させることができ、変速中の出力トルクの変動を抑制することができる。
【０１１１】
また、前記変速中に、少なくとも入力トルクを変化させて、入力軸（Ｉ）の回転速度を変化させると好適である。
【０１１２】
この構成によれば、入力軸（Ｉ）の回転速度の変化中において、少なくとも入力トルクを変化させて、入力軸（Ｉ）の回転速度の変化が行われるので、滑り係合状態の係合側係合装置の係合圧に応じて車輪側に伝達される出力トルクが、入力軸（Ｉ）の回転変化のために変動することを抑制できる。
【０１１３】
また、駆動力源（３）は内燃機関（ＥＮＧ）と回転電機（ＭＧ）とを含み、動力伝達経路（２）に沿って、内燃機関（ＥＮＧ）の側から、回転電機（ＭＧ）、変速装置（ＴＭ）、車輪（Ｗ）の順に設けられており、係合側制御部（４６）は、回転電機（ＭＧ）のみを駆動力源（３）として動作させている場合に、前記特定係合圧制御を行うと好適である。
【０１１４】
回転電機（ＭＧ）のみを駆動力源（３）として動作させている場合には、一般的に、車両の運転者は、振動やショックの少ないスムーズな走行を求める可能性が高いと考えられる。この構成によれば、このような場合に、出力トルクの変動を抑制することにより、スムーズな変速を行わせることができる。従って、運転者の要望に合致する可能性が高いスムーズな走行が実現できる。
【産業上の利用可能性】
【０１１５】
本開示に係る技術は、駆動力源と車輪とを結ぶ動力伝達経路に、複数の係合装置を備えると共に当該複数の係合装置の係合の状態に応じて変速比の異なる複数の変速段が選択的に形成される変速装置が設けられた車両用駆動伝達装置を制御対象とする制御装置に好適に利用することができる。
【符号の説明】
【０１１６】
１        ：車両用駆動伝達装置
２        ：動力伝達経路
３        ：駆動力源
３０      ：車両用駆動伝達装置の制御装置（制御装置）
４１      ：内燃機関制御部
４２      ：回転電機制御部
４３      ：変速制御部
４５      ：統合制御部
４６      ：係合側制御部
４７      ：解放側制御部
４８      ：入力トルク変更部
ＥＮＧ    ：内燃機関
Ｉ        ：入力軸
ＭＧ      ：回転電機
Ｏ        ：出力軸
ＴＭ      ：変速装置
Ｗ        ：車輪
【図１】
0006562001.tif 000002
【図２】
0006562001.tif 000003
【図３】
0006562001.tif 000004
【図４】
0006562001.tif 000005
【図５】
0006562001.tif 000006
【図６】
0006562001.tif 000007
【図７】
0006562001.tif 000008
【図８】
0006562001.tif 000009
【図９】
0006562001.tif 000010
【図１０】
0006562001.tif 000011